(57)【要約】【課題】スポーツ番組のハイライトシーンをリアルタイムでユーザに提示する。【解決手段】情報提示装置（１、２）は、第１のテレビ放送番組を受信する第１受信手段（１１、２１）と、表示装置（１９、２９）の画面上に、受信された第１のテレビ放送番組に係る第１映像、及び該第１映像とは異なる第２映像を、同時に表示可能な表示手段（１３、２３）と、該表示手段により、少なくとも第２映像が画面上に表示されている際に、第１のテレビ放送番組がスポーツ番組であることを条件に、第１映像からハイライトシーンの予兆を検出する映像解析手段（１４、２４）と、ハイライトシーンの予兆が検出されたことを条件に、第１映像を、強調して又は第２映像に代えて、画面上に表示するように表示手段を制御する制御手段（１３、２３）と、を備える。【選択図】図４
2014127906.tif 000002
【特許請求の範囲】
【請求項１】
第１のテレビ放送番組を受信する第１受信手段と、
表示装置の画面上に、前記受信された第１のテレビ放送番組に係る第１映像、及び前記第１映像とは異なる第２映像を、同時に表示可能な表示手段と、
前記表示手段により、少なくとも前記第２映像が前記画面上に表示されている際に、前記第１のテレビ放送番組がスポーツ番組であることを条件に、前記第１映像からハイライトシーンの予兆を検出する映像解析手段と、
前記ハイライトシーンの予兆が検出されたことを条件に、前記第１映像を、強調して又は前記第２映像に代えて、前記画面上に表示するように前記表示手段を制御する制御手段と、
を備えることを特徴とする情報提示装置。
【請求項２】
前記映像解析手段は、前記第１映像に含まれる、試合状況表示、スコア表示及び時間表示の少なくとも一つに基づいて、前記ハイライトシーンの予兆を検出することを特徴とする請求項１に記載の情報提示装置。
【請求項３】
ユーザの入力を受け付け可能な入力手段と、
前記入力手段を介して入力された人物名を示す名前情報を記憶する記憶手段と、
を更に備え、
前記映像解析手段は、前記記憶された名前情報に基づいて、前記ハイライトシーンの予兆を検出する
ことを特徴とする請求項１又は２に記載の情報提示装置。
【請求項４】
当該情報提示装置は、車載電子機器であることを特徴とする請求項１乃至３のいずれか一項に記載の情報提示装置。
【請求項５】
前記第１のテレビ放送番組とは異なる第２のテレビ放送番組を受信する第２受信手段を更に備え、
前記第２映像は、前記受信された第２のテレビ放送番組に係る映像である
ことを特徴とする請求項１乃至３のいずれか一項に記載の情報提示装置。
【請求項６】
前記制御手段は、前記画面上に前記第２映像を表示すると共に、前記第２映像に係る画像サイズよりも小さい画像サイズで前記第１映像を表示するように前記表示手段を制御し、
前記制御手段は、前記ハイライトシーンの予兆が検出されたことを条件に、前記第２映像を表示しないように前記表示手段を制御すると共に、前記第１映像に係る画像サイズを拡大するように前記表示手段を制御する
ことを特徴とする請求項５に記載の情報提示装置。
【発明の詳細な説明】
【技術分野】
【０００１】
本発明は、テレビ放送番組を画面上に表示可能な情報提示装置に関し、特に、テレビ放送番組におけるハイライトシーンを提示する情報提示装置の技術分野に関する。
【背景技術】
【０００２】
この種の装置として、例えば、テレビジョン信号を記録した記録媒体を再生する際に、ハイライトシーンとして、スポーツ番組の画面中央付近の得点表示により得点シーンを検出、スポーツ番組等の音声信号の特定周波数領域のレベルにより観客の歓声を検出、或いは、レース番組等の物体・背景の動きベクトル量によりレース中のトラブル発生シーンを検出して、該検出されたシーンを含む所定区間を再生し、それ以外の区間を早送りする装置が提案されている（特許文献１参照）。
【０００３】
或いは、複数のテレビチューナのうち一のテレビチューナで受信した一のテレビ放送番組を画面上に表示し、該複数のテレビチューナのうち他のテレビチューナで受信した他のテレビ放送番組をハードディスクドライブに記録し、該他のテレビ放送番組についてハイライトシーンが検出された場合、記録された他のテレビ放送番組を該検出されたハイライトシーンよりも前に遡って再生する装置が提案されている（特許文献２及び３参照）。
【先行技術文献】
【特許文献】
【０００４】
【特許文献１】特開２００７−４９７３号公報
【特許文献２】特開２００３−１３４４１５号公報
【特許文献３】特開２００７−１２４５８３号公報
【発明の概要】
【発明が解決しようとする課題】
【０００５】
しかしながら、上述の背景技術によれば、ハイライトシーンの放送が開始された後に、記録されたテレビ放送番組が再生される。つまり、ユーザがリアルタイムでハイライトシーンを視聴することができないという技術的問題点がある。
【０００６】
本発明は、例えば上記問題点に鑑みてなされたものであり、ユーザがハイライトシーンをリアルタイムで視聴することができる情報提示装置を提供することを課題とする。
【課題を解決するための手段】
【０００７】
請求項１に記載の情報提示装置は、上記課題を解決するために、第１のテレビ放送番組を受信する第１受信手段と、表示装置の画面上に、前記受信された第１のテレビ放送番組に係る第１映像、及び前記第１映像とは異なる第２映像を、同時に表示可能な表示手段と、前記表示手段により、少なくとも前記第２映像が前記画面上に表示されている際に、前記第１のテレビ放送番組がスポーツ番組であることを条件に、前記第１映像からハイライトシーンの予兆を検出する映像解析手段と、前記ハイライトシーンの予兆が検出されたことを条件に、前記第１映像を、強調して又は前記第２映像に代えて、前記画面上に表示するように前記表示手段を制御する制御手段と、を備える。
【０００８】
本発明の作用及び他の利得は次に説明する実施するための形態から明らかにされる。
【図面の簡単な説明】
【０００９】
【図１】第１実施例に係る情報提示装置の構成を示すブロック図である。
【図２】第１実施例に係る表示装置の表示画面の一例を示す図である。
【図３】第１実施例に係る表示装置の表示画面の他の例を示す図である。
【図４】第１実施例に係るハイライトシーン提示処理を示すフローチャートである。
【図５】第２実施例に係る情報提示装置の構成を示すブロック図である。
【図６】第２実施例に係る表示装置の表示画面の一例を示す図である。
【図７】第２実施例に係る表示装置の表示画面の他の例を示す図である。
【発明を実施するための形態】
【００１０】
本発明の情報提示装置に係る実施形態について説明する。
【００１１】
実施形態に係る情報提示装置は、第１のテレビ放送番組を受信する第１受信手段と、表示装置の画面上に、前記受信された第１のテレビ放送番組に係る第１映像、及び前記第１映像とは異なる第２映像を、同時に表示可能な表示手段と、前記表示手段により、少なくとも前記第２映像が前記画面上に表示されている際に、前記第１のテレビ放送番組がスポーツ番組であることを条件に、前記第１映像からハイライトシーンの予兆を検出する映像解析手段と、前記ハイライトシーンの予兆が検出されたことを条件に、前記第１映像を、強調して又は前記第２映像に代えて、前記画面上に表示するように前記表示手段を制御する制御手段と、を備える。
【００１２】
例えばテレビチューナ等である第１受信手段は、第１のテレビ放送番組を受信する。ここで、第１のテレビ放送番組は、ユーザにより選局された放送局が、該ユーザが選局した時点で放送しているテレビ放送番組である。
【００１３】
例えばメモリ、プロセッサ等を備えてなる表示手段は、例えば液晶ディスプレイ等である表示装置の画面上に、受信された第１のテレビ放送番組に係る第１映像、及び該第１映像とは異なる第２映像を、同時に表示可能である。つまり、表示手段は、所謂マルチ画面表示可能に構成されている。ここで、第２映像は、例えばＤＶＤ、ハードディスクドライブ等の記録媒体に記録されたコンテンツに係る映像であってもよいし、第１受信手段とはことなる受信手段により受信された他のテレビ放送番組に係る映像であってもよい。
【００１４】
尚、表示手段は、第１映像及び第２映像を、画面上に常に同時に表示するのではなく、例えばユーザにより所謂マルチ画面表示が選択された場合等に、第１映像及び第２映像を画面上に同時に表示する。所謂マルチ画面表示が実施されている場合、第１映像に係る画像サイズ及び第２映像係る画像サイズは、等しくてもよいし、どちらか一方が他方より大きくてもよい。
【００１５】
例えばメモリ、プロセッサ等を備えてなる解析手段は、表示手段により、少なくとも第２映像が画面上に表示されている際に、第１のテレビ放送番組がスポーツ番組であることを条件に、該第１のテレビ放送番組に係る第１映像からハイライトシーンの予兆を検出する。尚、画面上に第２映像のみが表示されている場合であっても、第１受信手段により第１のテレビ放送番組は受信されている。
【００１６】
本実施形態に係る「ハイライトシーン」とは、例えば、野球中継番組やサッカー中継番組で得点が入るシーン等の、スポーツ番組において視聴者が惹きつけられるようなシーンを意味する。
【００１７】
例えばメモリ、プロセッサ等を備えてなる制御手段は、ハイライトシーンの予兆が検出されたことを条件に、第１映像を強調して表示するように、又は第２映像に代えて第１映像を画面上に表示するように、表示手段を制御する。尚、「第１映像を強調して表示」は、例えば、所謂マルチ画面表示が実施されている場合には第１映像に係る画像サイズを第２映像に係る画像サイズよりも大きくしたり、第１映像の外縁部を点滅したりすることにより実現すればよい。
【００１８】
本願発明者の研究によれば、以下の事項が判明している。即ち、スポーツ番組における得点シーン等のハイライトシーンは、リアルタイムで視聴するからこそ味わえる興奮がある。上述の背景技術では、記録媒体に記録されたスポーツ番組のハイライトシーンが再生されており、リアルタイム性に欠ける。加えて、ハードディスクドライブ等の記録媒体にスポーツ番組を一旦記録するため、記録媒体を別途設ける、或いは、記録媒体の容量を比較的大きくする、必要がある。
【００１９】
しかるに本実施形態では、解析手段により、第１のテレビ放送番組がスポーツ番組であることを条件に、該第１のテレビ放送番組に係る第１映像からハイライトシーンの予兆が検出される。そして、制御手段により、ハイライトシーンの予兆が検出されたことを条件に、第１映像を強調して表示するように、又は第２映像に代えて第１映像を画面上に表示するように、表示手段が制御される。
【００２０】
つまり、本実施形態では、ハイライトシーンそのものではなく、ハイライトシーンの予兆を検出しているので、第１映像が強調表示された時点又は第２映像から第１映像に切り換わった時点以降にハイライトシーンが放送される。このため、本実施形態に係る情報提示装置のユーザはハイライトシーンをリアルタイムで視聴することができる。加えて、第１のテレビ放送番組を記録する記録媒体は必要がないので、例えば、情報提示装置の小型化や製造コストの低減を、比較的容易に実現でき、実用上非常に有利である。
【００２１】
尚、「ハイライトシーンの予兆」としては、例えば、野球中継番組ではランナーが二塁や三塁にいることを示す表示が第１映像に含まれること、サッカー中継番組ではゴールポストやペナルティエリアが第１映像に含まれること、等が挙げられる。また、当該情報提示装置は、表示装置と一体として構成されていてもよい。
【００２２】
実施形態に係る情報提示装置の一態様では、前記映像解析手段は、前記第１映像に含まれる、試合状況表示、スコア表示及び時間表示の少なくとも一つに基づいて、前記ハイライトシーンの予兆を検出する。
【００２３】
この態様によれば、比較的容易にしてハイライトシーンの予兆を検出することができ、実用上非常に有利である。
【００２４】
実施形態に係る情報提示装置の他の態様では、ユーザの入力を受け付け可能な入力手段と、前記入力手段を介して入力された人物名を示す名前情報を記憶する記憶手段と、を更に備え、前記映像解析手段は、前記記憶された名前情報に基づいて、前記ハイライトシーンの予兆を検出する。
【００２５】
この態様によれば、例えば、当該情報提示装置のユーザが注目する選手が登場するシーンを、ハイライトシーンとして表示装置の画面上に表示することができる。尚、「記憶された名前情報に基づいて」とは、「記憶された名前情報のみに基づく」の意味に限らず、「ハイライトシーンの予兆を検出するための要素の一つとして記憶された名前情報を用いる」の意味を含んでよい。
【００２６】
実施形態に係る情報提示装置の他の態様では、当該情報提示装置は、車載電子機器である。
【００２７】
この態様によれば、テレビ放送番組を受信可能な車載電子機器のユーザが、ハイライトシーンをリアルタイムで視聴することができる。尚、この場合、第２映像は、例えばカーナビゲーションに係る映像（例えば地図等）や、ＤＶＤ等の記録媒体に記録されたコンテンツ、等である。
【００２８】
或いは、実施形態に係る情報提示装置の他の態様では、前記第１のテレビ放送番組とは異なる第２のテレビ放送番組を受信する第２受信手段を更に備え、前記第２映像は、前記受信された第２のテレビ放送番組に係る映像である。
【００２９】
この態様によれば、当該情報提示装置のユーザが、第２のテレビ放送番組を視聴している際に、第１のテレビ放送番組についてのハイライトシーンをリアルタイムで視聴することができる。
【００３０】
この態様では、前記制御手段は、前記画面上に前記第２映像を表示すると共に、前記第２映像に係る画像サイズよりも小さい画像サイズで前記第１映像を表示するように前記表示手段を制御し、前記制御手段は、前記ハイライトシーンの予兆が検出されたことを条件に、前記第２映像を表示しないように前記表示手段を制御すると共に、前記第１映像に係る画像サイズを拡大するように前記表示手段を制御してよい。
【００３１】
このように構成すれば、第２のテレビ放送番組に係る第２映像を主に視聴していたユーザを、第１のテレビ放送番組に係る第１映像に注目させることができ、実用上非常に有利である。
【実施例】
【００３２】
本発明の情報提示装置に係る実施例について、図面に基づいて説明する。
【００３３】
＜第１実施例＞
本発明の情報提示装置に係る第１実施例について、図１乃至図４を参照して説明する。
【００３４】
先ず、本実施例に係る情報提示装置の構成について、図１を参照して説明する。図１は、第１実施例に係る情報提示装置の構成を示すブロック図である。
【００３５】
図１において、情報提示装置１は、テレビチューナ１１（“チューナ１”）、テレビチューナ１２（“チューナ２”）、管理部１３、解析部１４、データ部１５、情報部１６、制御部１７、入力部１８及び表示装置１９を備えて構成されている。尚、当該情報提示装置１は、所謂マルチ画面表示を実施可能に構成されている。
【００３６】
管理部１３は、例えば、所謂マルチ画面表示を実施する際に、テレビチューナ１１により受信されたテレビ放送番組と、テレビチューナ１２により受信されたテレビ放送番組とのいずれをメインとして表示するかを決定する。
【００３７】
解析部１４は、テレビチューナ１１及び１２各々を介して受信されたテレビ放送番組に係る放送映像を解析する。本実施例では特に、テレビ放送番組がスポーツ番組である場合に、解析部１４が放送映像を解析してハイライトシーンの予兆を検出する。
【００３８】
データ部１５は、ハイライトシーンの特徴及びハイライトシーンの予兆の特徴を管理する。尚、ハイライトシーンの特徴及びハイライトシーンの予兆の特徴は、当該情報提示装置１の製造者が規定すればよい。
【００３９】
ハイライトシーンの特徴としては、例えば「得点が入る」、「試合の決着がつく」等が挙げられる。ハイライトシーンの予兆の特徴としては、例えば、野球中継番組ではランナーが二塁や三塁にいることを示す表示、サッカー中継番組ではゴールポストやペナルティエリアを含む映像、ラグビー中継番組ではタッチラインやゴールポストを含む映像、卓球やバレーボール等の中継番組では、セットポイントやマッチポイントとなった状態の得点表示、サッカー等の試合時間が定められている競技の中継番組では、制限時間の所定時間前となった状態の時間表示、等が挙げられる。尚、ハイライトシーンの特徴及びハイライトシーンの予兆の特徴は、上述したものに限られない。
【００４０】
情報部１６は、例えば当該情報提示装置１のユーザが興味を持っているスポーツや選手名を示す情報が格納されている。尚、ユーザが興味を持っているスポーツや選手名は、例えばリモートコントローラ、キーボード、タッチパネル等である入力部１８を介して入力される。
【００４１】
制御部１７は、例えば入力部１８を介して入力されたユーザが所望する放送局に応じてテレビチューナ１１及び１２の少なくとも一方を制御する。
【００４２】
以上のように構成された情報提示装置１において、アンテナＡＮＴ及びテレビチューナ１１を介して、例えば野球中継番組やサッカー中継番組等のスポーツ番組が受信されており、アンテナＡＮＴ及びテレビチューナ１２を介して、例えばニュース番組やドラマ等の他の番組が受信されているとする。そして、情報提示装置１のユーザが、テレビチューナ１２を介して受信された他の番組を主に視聴しているとする。
【００４３】
この場合、管理部１３は、図２に示すように、表示装置１９の画面１９ａ上に、テレビチューナ１２を介して受信された番組が比較的大きな画像サイズで表示され（“メイン画面”参照）、テレビチューナ１１を介して受信されたスポーツ番組が比較的小さな画像サイズで表示される（“サブ画面”参照）。
【００４４】
この際、解析部１４は、データ部１５により管理されるハイライトシーンの予兆の特徴等、及び情報部１６に格納されている情報に基づいて、テレビチューナ１１を介して受信されたスポーツ番組に係る映像からハイライトシーンの予兆の検出を試みる。
【００４５】
尚、解析部１４は、ハイライトシーンの予兆の検出に加えて、データ部１５により管理されているハイライトシーンの特徴に基づいて、テレビチューナ１１を介して受信されたスポーツ番組に係る映像からハイライトシーンの開始の検出も試みてよい。
【００４６】
解析部１４によりハイライトシーンの予兆が検出された場合、管理部１３は、テレビチューナ１１を介して受信されたスポーツ番組を、画面１９ａ上に、比較的大きな画像サイズで表示する（図３（ａ）“メイン画面”参照）。或いは、管理部１３は、テレビチューナ１１を介して受信されたスポーツ番組を、画面１９ａ上全面に表示する（図３（ｂ）参照）。
【００４７】
管理部１３が、画面１９ａの表示を切り換えるタイミングは、解析部１４においてハイライトシーンの予兆が検出された直後であってもよいし、例えば数十秒〜数分等の所定時間経過後であってもよい。例えば相撲等、選手名が表示されてから実際に競技が開始されるまでに間があるような場合には、ハイライトシーンの予兆が検出されてから所定時間経過後に画面１９ａの表示を切り換えることにより、ユーザに適切なタイミングでハイライトシーンを提示することができる。
【００４８】
解析部１４は、更に、ハイライトシーンの終わりを検出する。具体的には例えば、相撲中継番組の場合、解析部１４は、決まり手のテロップが表示されたことを検出して、ハイライトシーンの終わりの前触れ（予兆）とみなす。そして、解析部１４は、情報部１６に格納されているユーザが興味を持つスポーツ選手名（ここでは、力士名）とは異なる名前が表示されたことを検出して、ハイライトシーンの終わりとみなす。或いは、解析部１４は、野球中継番組の場合、ランナーがいないことを示す表示を検出して、ハイライトシーンの終わりとみなす。
【００４９】
解析部１４によりハイライトシーンの終わりが検出された場合、管理部１３は、スポーツ番組の表示を止める、又はサブ画面として表示する。そして、管理部１３は、テレビチューナ１２を介して受信された番組をメイン画面として又は全画面で表示する。
【００５０】
このように構成すれば、ハイライトシーンが終了した後に、ユーザが手動で画面の切り換えを行う必要が無いので、実用上非常に有利である。
【００５１】
次に、本実施例に係るハイライトシーン検出処理について、図４のフローチャートを参照して説明する。
【００５２】
図４において、先ず、管理部１３は、所謂マルチ画面表示を実施している場合サブ画面に、ハイライトシーンを提示すべきスポーツ番組が表示されているか否かを判定する（ステップＳ１０１）。尚、所謂マルチ画面表示を実施していない場合には、管理部１３は、ハイライトシーンを提示すべきスポーツ番組が、画面１９ａ上に表示されていないか否かを判定する。
【００５３】
ハイライトシーンを提示すべきスポーツ番組が、サブ画面に表示されていないと判定された場合（ステップＳ１０１：Ｎｏ）、管理部１３は、再び上記ステップＳ１０１の処理を実行する。他方、ハイライトシーンを提示すべきスポーツ番組が、サブ画面に表示されていると判定された場合（ステップＳ１０１：Ｙｅｓ）、解析部１４は、スポーツ番組に係る映像を解析する（ステップＳ１０２）。
【００５４】
続いて、管理部１３は、スポーツ番組に係る映像からハイライトシーンの予兆（及び／又はハイライトシーンの開始）が検出されたか否かを判定する（ステップＳ１０３）。ハイライトシーンの予兆が検出されないと判定された場合（ステップＳ１０３：Ｎｏ）、管理部１３は、再び上記ステップＳ１０１の処理を実行する。
【００５５】
ハイライトシーンの予兆が検出されたと判定された場合（ステップＳ１０３：Ｙｅｓ）、解析部１４は、ハイライトシーンの予兆が検出されたスポーツ番組に係る映像を、サブ画面からメイン画面に切り換えるタイミングを管理部１３に通知する（ステップＳ１０４）。尚、即時に切り換える場合には、例えば“０”等とすればよい。
【００５６】
次に、管理部１３は、解析部１４から通知されたタイミングであるか否かを判定する（ステップＳ１０５）。解析部１４から通知されたタイミングでないと判定された場合（ステップＳ１０５：Ｎｏ）、管理部１３は、ステップＳ１０５の処理を再び実行する。
【００５７】
他方、解析部１４から通知されたタイミングであると判定された場合（ステップＳ１０５：Ｙｅｓ）、管理部１３は、ハイライトシーンを提示すべきスポーツ番組が、メイン画面に表示されるように画面１９ａの表示を切り換える（ステップＳ１０６）。
【００５８】
本実施例に係る「テレビチューナ１１」、「テレビチューナ１２」、「解析部１４」、「入力部１８」及び「情報部１６」は、夫々、本発明に係る「第１受信手段」、「第２受信手段」、「映像解析手段」、「入力手段」及び「記憶手段」の一例である。本実施例に係る「管理部１３」は、本発明に係る「表示手段」及び「制御手段」の一例である。
【００５９】
＜第２実施例＞
本発明の情報提示装置に係る第２実施例について、図５及び図６を参照して説明する。尚、第２実施例では、第１実施例と重複する説明は適宜省略し、基本的に第１実施例と異なる構成について図５及び図６を参照して説明する。本実施例では特に、当該情報提示装置が、車載電子機器として構成されている。
【００６０】
本実施例に係る情報提示装置の構成について、図５を参照して説明する。図５は、第２実施例に係る情報提示装置の構成を示すブロック図である。
【００６１】
図５において、情報提示装置２は、テレビチューナ２１、管理部２３、解析部２４、データ部２５、情報部２６、制御部２７、入力部２８及び表示装置２９を備えて構成されている。また、情報提示装置２は、例えばＤＶＤやハードディスクドライブ等の記録媒体５０に記録されたコンテンツを再生可能に構成されている。
【００６２】
管理部２３は、例えば、所謂マルチ画面表示を実施する際に、テレビチューナ２１により受信されたテレビ放送番組と、記録媒体５０に記録されたコンテンツとのいずれをメインとして表示するかを決定する。
【００６３】
以上のように構成された情報提示装置２において、アンテナＡＮＴ及びテレビチューナ２１を介してスポーツ番組が受信されており、記録媒体５０に記録されたコンテンツが再生されているとする。そして、情報提示装置２のユーザが、記録媒体５０に記録されたコンテンツを主に視聴しているとする。
【００６４】
この場合、管理部２３は、図６に示すように、表示装置２９の画面２９ａ上に、記録媒体５０に記録されたコンテンツが比較的大きな画像サイズで表示され（“メイン画面”参照）、テレビチューナ２１を介して受信されたスポーツ番組が比較的小さな画像サイズで表示される（“サブ画面”参照）。
【００６５】
或いは、管理部２３は、図７に示すように、表示装置２９の画面２９ａ上に、記録媒体５０に記録されたコンテンツを全画面で表示する（この場合、テレビチューナ２１を介して受信されたスポーツ番組は、ハイライトシーンの予兆が検出されるまで表示されない）。尚、管理部２３は、ハイライトシーンの予兆が検出されたことを条件に、テレビのスイッチをＯＮにする。
【００６６】
解析部２４により、スポーツ番組に係るハイライトシーンの予兆が検出された場合、管理部２３は、テレビチューナ２１を介して受信されたスポーツ番組を、画面２９ａ上に、比較的大きな画像サイズで表示する、或いは、テレビチューナ２１を介して受信されたスポーツ番組を、画面２９ａ上全面に表示する。
【００６７】
尚、図７に示したように、テレビチューナ２１を介して受信されたスポーツ番組が表示されない場合、解析部２４が、例えば映像信号に対してパターン解析を施してハイライトシーンの予兆を検出するように構成すればよい。
【００６８】
本実施例に係る「テレビチューナ２１」、「解析部２４」、「入力部２８」及び「情報部２６」は、夫々、本発明に係る「第１受信手段」、「映像解析手段」、「入力手段」及び「記憶手段」の他の例である。本実施例に係る「管理部２３」は、本発明に係る「表示手段」及び「制御手段」の他の例である。
【００６９】
本発明は、上述した実施形態に限られるものではなく、特許請求の範囲及び明細書全体から読み取れる発明の要旨或いは思想に反しない範囲で適宜変更可能であり、そのような変更を伴う情報提示装置もまた本発明の技術的範囲に含まれるものである。
【符号の説明】
【００７０】
１、２…情報提示装置、１１、１２、２１…テレビチューナ、１３、２３…管理部、１４、２４…解析部、１５、２５…データ部、１６、２６…情報部、１７、２７…制御部、１８、２８…入力部、１９、２９…表示装置、５０…記録媒体
【図１】
2014127906.tif 000003
【図２】
2014127906.tif 000004
【図３】
2014127906.tif 000005
【図４】
2014127906.tif 000006
【図５】
2014127906.tif 000007
【図６】
2014127906.tif 000008
【図７】
2014127906.tif 000009